(57)【要約】【課題】梱包箱を破壊することなく、該梱包箱から製品を容易に取り出すことができる梱包製品の取り出し補助板を提供すること。【解決手段】梱包箱内に密集梱包された製品を取り出すための取り出し補助板１に、一部を切り起こして外側に折り曲げることによって上方に開く係止片２を形成する。又、前記係止片２の上端コーナー部を内側に折り曲げて係止リブ３を形成する。本発によれば、梱包箱内に密集梱包された製品と製品間の隙間に取り出し補助板１を上方から差し込むと、該取り出し補助板１に形成された係止片２が押し潰されながら製品間の隙間に入っていき、係止片２が製品の凹部に引っ掛かって係止されるため、取り出し補助板１をそのまま引き上げれば、その係止片２に係止された製品が取り出し補助板１と共に引き上げられて容易に取り出される。【選択図】図１
2008110788.tif 000002
【特許請求の範囲】
【請求項１】
梱包箱内に密集梱包された製品を取り出すための取り出し補助板であって、
一部を切り起こして外側に折り曲げることによって上方に開く係止片を形成して成ることを特徴とする梱包製品の取り出し補助板。
【請求項２】
前記係止片の上端コーナー部を内側に折り曲げて係止リブを形成したことを特徴とする請求項１記載の梱包製品の取り出し補助板。
【発明の詳細な説明】
【技術分野】
【０００１】
本発明は、梱包箱内に密集梱包された製品を取り出すための取り出し補助板に関するものである。
【背景技術】
【０００２】
ダンボール等の梱包箱内に整然と密集梱包された製品を取り出すことは容易ではなく、このため、例えば特許文献１には、ダンボール箱の開封フラップにミシン目を入れ、このミシン目から開封フラップを破断することによって、ダンボール箱から製品を取り出し易くする提案がなされている。
【特許文献１】特開２００６−０７６５８８号公報
【発明の開示】
【発明が解決しようとする課題】
【０００３】
しかしながら、特許文献１において提案された構成では、例えば雨天時等にダンボール箱のミシン目からの水漏れが懸念され、又、ダンボール箱をミシン目に沿って破断するには比較的大きな力を要するために容易ではなく、破断されたダンボールを再使用することができないという問題があった。
【０００４】
本発明は上記問題に鑑みてなされたもので、その目的とする処は、梱包箱を破壊することなく、該梱包箱から製品を容易に取り出すことができる梱包製品の取り出し補助板を提供することにある。
【課題を解決するための手段】
【０００５】
上記目的を達成するため、請求項１記載の発明は、梱包箱内に密集梱包された製品を取り出すための取り出し補助板に、一部を切り起こして外側に折り曲げることによって上方に開く係止片を形成したことを特徴とする。
【０００６】
請求項２記載の発明は、請求項１記載の発明において、前記係止片の上端コーナー部を内側に折り曲げて係止リブを形成したことを特徴とする。
【発明の効果】
【０００７】
請求項１記載の発明によれば、梱包箱内に密集梱包された製品と製品間の隙間に取り出し補助板を上方から差し込むと、該取り出し補助板に形成された係止片が押し潰されながら製品間の隙間に入っていき、係止片が製品の凹部に引っ掛かって係止されるため、取り出し補助板をそのまま引き上げれば、その係止片に係止された製品が取り出し補助板と共に引き上げられて容易に取り出される。そして、このようにして梱包箱内の１つの製品が取り出されると、梱包箱内には取り出された製品の跡に空間が形成されるため、その空間から手を入れて残りの製品を作業性良く取り出すことができる。従って、本発明によれば、梱包箱を破壊することなく、該梱包箱から製品を容易に取り出すことができる。又、製品が密集梱包された梱包箱内に引き出し補助板を差し込むことによって製品を取り出すことができるため、製品の梱包作業を作業性良く行うことができる。
【０００８】
請求項２記載の発明によれば、引き出し補助板の係止片の上端コーナー部に形成された係止リブによって係止片の剛性が高められるとともに、製品の取り出しに際して引き出し補助板を製品間に差し込む際に係止リブが圧縮されて潰され、係止片が製品の凹部に引っ掛かって係止された時点で係止リブが圧縮反力によって開くため、係止片の製品の凹部への係止が確実になされ、取り出し補助板によって製品が一層確実に取り出される。
【発明を実施するための最良の形態】
【０００９】
以下に本発明の実施の形態を添付図面に基づいて説明する。
【００１０】
図１は本発明に係る取り出し補助板の斜視図、図２は同取り出し補助板の正面図、図３は図２のＡ−Ａ線断面図、図４は梱包箱の開封フラップを開けた状態を示す斜視図、図５（ａ）〜（ｃ）は取り出し補助板を用いた製品の取り出し要領を示す説明図である。
【００１１】
本発明に係る取り出し補助板１は、図１及び図２に示すように、矩形の段ボール紙の一部を矩形に切り起こし、その切り起こし部の下端縁を外側に折り曲げることによって上方に開く係止片２を形成し、この係止片２の上端の左右コーナー部を内側に向かって三角状に折り曲げて係止リブ３を形成することによって構成されている。尚、この取り出し補助板１の上端縁の一部には矩形板状のつまみ部４が一体に突設されている。
【００１２】
次に、図４に示すように梱包箱５に密集梱包された複数の製品Ｗを本発明に係る取り出し補助板１を用いて取り出す方法を図５（ａ）〜（ｃ）に従って説明する。
【００１３】
図４に示すように、梱包箱５内には矩形のケースに収容された複数の製品Ｗが密集梱包されており、これらの製品Ｗを梱包箱５から取り出すには、梱包箱５の上面開口部を閉じていた開封フラップ６，７を図示のように開き、本発明に係る取り出し補助板１を用いて先ず１つの製品Ｗが取り出される。
【００１４】
即ち、図５（ａ）に示すように引き出し補助板１を略垂直にして梱包箱５内の隣接する２つの製品Ｗの間の隙間に上方から差し込む。すると、取り出し補助板１に形成された係止片２及び係止リブ３が押し潰されながら２つの製品Ｗ間の隙間に入っていき、係止片２と係止リブ３が一方の製品Ｗの凹部Ｗａに到達した時点で、これらの係止片２と係止リプ３が製品Ｗによる拘束から開放され、これらの係止片２と係止リブ３が圧縮反力によって図５（ｂ）に示すように一方の製品Ｗの凹部Ｗａ内で外側へ開き、その上部が一方の製品Ｗの凹部Ｗａに引っ掛かって係止される。
【００１５】
従って、上記状態からつまみ部４を把持して取り出し補助板１をそのまま引き上げれば、図５（ｃ）に示すように、係止片２と係止リブ３に係止された製品Ｗが取り出し補助板１と共に引き上げられて容易に取り出される。このようにして梱包箱５内の１つの製品Ｗが取り出されると、梱包箱５内には空間Ｓが形成されるため(図５（ｃ）参照)、その空間Ｓから手を入れて残りの製品Ｗを作業性良く取り出すことができる。従って、本発明に係る取り出し補助板１を使用すれば、梱包箱５を破壊することなく、該梱包箱５から製品Ｗを容易に取り出すことができる。
【００１６】
以上のように、本発明に係る取り出し補助板１は製品Ｗと共に梱包箱５内に梱包されるものではなく、開梱時に梱包箱５内に差し込まれて先ず１つの製品Ｗを取り出すために使用されるものであるため、製品Ｗの梱包作業を阻害することがなく、製品Ｗの梱包箱５内への梱包を作業性良く行うことができる。
【００１７】
又、本実施の形態では、取り出し補助板１の係止片２の左右の上端コーナー部を三角状に内側に折り曲げて係止リブ３を形成したため、この係止リブ３によって係止片２の剛性が高められるとともに、製品Ｗの取り出しに際して引き出し補助板１を２つの製品Ｗ間に差し込む際に係止リブ３が圧縮されて潰され、係止片２が製品Ｗの凹部Ｗａに引っ掛かって係止された時点で係止リブ３が圧縮反力によって開くため、係止片２の製品Ｗの凹部Ｗａへの係止が確実になされ、取り出し補助板１による製品Ｗの取り出しが一層確実になされる。
【００１８】
尚、本発明に係る取り出し補助板は、端面に凹部が形成された製品の取り出しに適用が限定されるが、これに形成される係止片の数は任意であって、製品の大きさに応じて複数の係止片を係止しても良い。
【図面の簡単な説明】
【００１９】
【図１】本発明に係る取り出し補助板の斜視図である。
【図２】本発明に係る取り出し補助板の正面図である。
【図３】図２のＡ−Ａ線断面図である。
【図４】梱包箱の開封フラップを開けた状態を示す斜視図である。
【図５】（ａ）〜（ｃ）は本発明に係る取り出し補助板を用いた製品の取り出し要領を示す説明図である。
【符号の説明】
【００２０】
１      取り出し補助板
２      取り出し補助板の係止片
３      取り出し補助板の係止リブ
４      取り出し補助板のつまみ部
５      梱包箱
６，７  梱包箱の開封フラップ
Ｓ      梱包箱内に形成される空間
Ｗ      製品
Ｗａ    製品の凹部
【図１】
2008110788.tif 000003
【図２】
2008110788.tif 000004
【図３】
2008110788.tif 000005
【図４】
2008110788.tif 000006
【図５】
2008110788.tif 000007